【事件の表示】
　特願２０１７−　７６６２０「画像形成装置及び制御方法」拒絶査定不服審判事件〔平成２９年　８月　３日出願公開、特開２０１７−１３２２６１〕について、次のとおり審決する。
【結　論】
　本件審判の請求は、成り立たない。
【理　由】
１　手続の経緯 
　本願は、平成２５年３月２８日を出願日とする特願２０１３−６９３００号の一部を平成２９年４月７日に新たな出願としたものであって、平成３０年１月２６日付けで拒絶の理由が通知され、同年３月２８日付けで意見書及び手続補正書が提出され、同年８月２日付けで拒絶の理由が通知され、同年１０月１７日付けで意見書及び手続補正書が提出されたが、平成３１年１月３１日付けで拒絶査定がなされ、これに対して、令和１年５月１０日付けで拒絶査定不服審判の請求がなされたものである。
２　本願発明
　本願の請求項１に係る発明（以下「本願発明」という。）は、平成３０年１０月１７日付けの手続補正書により補正された特許請求の範囲の請求項１に記載された事項により特定されるとおりのものと認められるところ、本願発明は以下のとおりである。
　　　
「【請求項１】
　画像データに基づいて画像を印刷する印刷処理が行われる前に、前記画像データに基づいて前記画像を表示装置にプレビュー表示させる画像形成装置において、
　編集を所望する画像に対してタッチ操作によるジェスチャ動作を行うことにより、編集対象画像を指定し、前記編集対象画像に対する編集を実行する機能であって、
　前記表示装置に複数ページが表示された状態で、前記複数ページの画像のうちのページ集約を行なう複数の画像に対して、利用者のピンチイン操作による入力操作よりページ集約を行う画像を指定するページ集約指定機能と、
　前記ページ集約指定機能によりページ集約が行われた画像を、元の画像の用紙サイズに縮小して表示する表示機能と、
　を備えることを特徴とする画像形成装置。」
　ここで、「ページ集約が行われた画像を、元の画像の用紙サイズに縮小して表示する」とは、明細書の段落【００４１】の記載及び図３（ｂ）を参酌すれば、ページ集約が行われた画像を、元の画像の用紙サイズに合せて縮小して表示することと解される。　
３　原査定の拒絶の理由
　原査定の理由のうち、請求項１に係る拒絶の理由の概略は、以下のとおりである。
（進歩性）この出願の請求項１に係る発明は、その出願前日本国内又は外国において頒布された以下の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。 
　・米国特許出願公開第２０１２／００９６３７８号明細書（以下、「引用文献１」という。）
　・米国特許出願公開第２０１２／００８６６５２号明細書（以下、「引用文献２」という。）
　・特開２０１２−１０６４５３号公報（周知技術を示す文献、以下、「引用文献３」という。）
　・特開２００５−２４６６８３号公報（周知技術を示す文献、以下、「引用文献４」という。）
　
４　引用文献の記載
（１）引用文献１について
　引用文献１には、図面と共に次の事項が記載されている（下線は当審で付した。また、括弧内の訳文は当審が作成した。）。 
「[0002] Embodiments described herein relate to a technique for allocating a plurality of page images to one page.」
（［０００２］本明細書に記載の実施形態は、
１つのページに複数のページの画像を割り当てる
「[0071] FIG.4 is a flowchart illustrating the flow of a general process in the display control device 1.」
（［００７１］図４は、表示制御装置１の全体的な処理の流れを示すフローチャートである。）
「[0072] The processor 801 acquires page images to be printed (ACT 101). Here, the page images may be acquired by scanning images of an original document in the image processing apparatus Q, may be acquired by receiving the images as image data via a network, or may be acquired from a portable recording medium such as a USE（当審注：「USE」は「USB」の誤記と認められる。） memory or an SD card. The processor 801 stores the image data of the page images acquired in the above-described way in, for example, the HDD 804.」
（［００７２］プロセッサ８０１は、印刷すべきページ画像を取得する（ＡＣＴ　１０１）。ここでは、ページ画像は、画像処理装置Ｑにおいて、原稿の画像をスキャンすることによって取得してもよいし、ネットワークを介して画像データとして画像を受信することにより取得してもよいし、ＵＳＢメモリやＳＤカードなどの可搬性の記録媒体から取得してもよい。プロセッサ８０１は、例えば、ＨＤＤ８０４に上記のようにして取得されたページ画像の画像データを記憶する。）
「[0073] Subsequently, the processor 801 transmits the image data of the page images acquired in the above-described way to the touch panel display 805, when the user inputs an instruction to request printing setting on the touch panel display 805.」
（［００７３］続いて、ユーザが、タッチパネルディスプレイ８０５上で印刷設定を要求する指示が入力された場合、プロセッサ８０１は、上記したようにして取得されたページ画像の画像データをタッチパネルディスプレイ８０５に送信する。）
「[0074] Based on the input operation of the user on the touch panel display 805, the processor 801 receives the printing setting of the printing which is based on the acquired image data (ACT 102).」
（［００７４］
タッチパネルディスプレイ８０５におけるユーザの入力操作に基づいて
取得した画像データに基づく印刷の印刷設定を受け付ける
「[0075] Based on the printing setting received in the above-described way, the processor 801 supplies sheets from the sheet storage unit to the printing unit P (ACT 103).」
（［００７５］以上のようにして、受信した印刷設定に基づいて、プロセッサ８０１は、用紙収納部から印刷部Ｐに用紙を供給する（ＡＣＴ　１０３）。）
「[0076] The processor 801 allows the printing unit P to print the acquired image data based on the printing setting (ACT 104).」
（［００７６］プロセッサ８０１は、
印刷部Ｐが印刷設定に基づいて、取得した画像データを印刷することを可能にする
「[0077] The processor 801 allows the printing unit P to discharge the sheet subjected to the printing out of the image processing apparatus Q (ACT 105).」
（［００７７］プロセッサ８０１は、印刷部Ｐが画像処理装置Ｑから印刷が行われた用紙を排出することを可能にする（ＡＣＴ　１０５）。）
「[0080] First, the processor 801 allows the touch panel display 805 to display the printing setting screens shown in FIG.6 when receiving the printing setting. In the example shown in FIG.6, five objects O1 to O5 to be displayed, which correspond to five page images to be printed are displayed on the screen. The user operates the touch panel display to execute various kinds of printing setting on the screen shown in FIG.6 and presses down a printing execution button b to execute the printing in accordance with the desired printing setting. Here, for example, the objects O1 to O5 to be displayed are thumbnail images.」
（［００８０］プロセッサ８０１は、まず、
印刷設定を受け付けるときに、タッチパネルディスプレイ８０５に
印刷設定画面を表示する
印刷される５ページ分の画像に対応して表示される５個のオブジェクトＯ１〜Ｏ５が、画面上に表示される
表示されるオブジェクトＯ１〜Ｏ５はサムネイル画像である
「[0081] FIG.7 is a diagram illustrating a data table indicating a correspondence relationship between the objects O1 to O5 to be displayed in FIG. 6 and page images P1 to P5 which correspond to the objects O1 to O5 to be displayed, respectively. The data table shown in FIG.7 is stored in, for example, the HDD 804.」
（［００８１］図７は、図６に表示させるオブジェクトＯ１〜Ｏ５との対応関係を示すデータテーブルを示した図であり、表示しようとするオブジェクトＯ１〜Ｏ５にそれぞれ対応するページ画像Ｐ１〜Ｐ５である。図７に示すデータテーブルは、例えば、ハードディスクドライブ８０４に格納されている。）
「[0082] Regions A1 to A5 can correspond to the plurality of objects O1 to O5 to be displayed. The regions A1 to A5 are each a region (which is a region surrounded by a dotted line shown in FIG. 6) which includes each object to be displayed. In the example shown in FIG. 6, the regions A1 to A5 are not normally displayed on a screen. Of course, the regions A1 to A5 may be temporarily displayed when the user selects the object to be displayed.」
（［００８２］領域Ａ１〜Ａ５は、表示される複数のオブジェクトＯ１〜Ｏ５に対応することができる。領域Ａ１〜Ａ５は、表示される各オブジェクトを含む領域（図６の破線で囲まれた領域）である。図６に示す例では、領域Ａ１〜Ａ５は通常は画面上には表示されない。もちろん、ユーザが表示されるオブジェクトを選択するとき、領域Ａ１〜Ａ５が一時的に表示されてもよい。）
「[0087] First, the processor 801 detects a pressed location of the user on the touch panel display 805 (ACT 201).」
（［００８７］まず、プロセッサ８０１は、タッチパネルディスプレイ８０５上のユーザの押圧位置を検出する（ＡＣＴ　２０１）。）
「[0088] Subsequently, the processor 801 determines whether the pressed location is a region corresponding to one of the plurality of objects O1 to O5 to be displayed (ACT 202). When the pressed location is the region corresponding to one of the objects to be displayed, detecting a continuous releasing location starts.」
（［００８８］この後、プロセッサ８０１は、押圧位置が、表示されているオブジェクトＯ１〜Ｏ５のうちの１つに対応する領域であるか否かを判定する（ＡＣＴ　２０２）。
押圧位置が表示されているオブジェクトのうちの一つに対応する領域である場合、連続的なリリース位置検出を開始する
「[0090] Until releasing (separating the finger of the user or the stylus pen from the touch panel display 805) the processor 801 moves and displays the object to be displayed with the movement of the pressed location (ACT 203).」
（［００９０］（
ユーザの指
リリースするまで
押圧位置の移動に伴って表示されるオブジェクトを移動表示する
「[0091] The processor 801 detects the releasing position of the moved object to be moved (ACT 204). When the releasing position is not the region corresponding to one of the objects to be displayed (Yes in ACT 205), the processor 801 cancels the movement display of the object to be displayed and displays a state (for example, the state shown in FIG. 6) of the original location (ACT 209).」
（［００９１］プロセッサ８０１は、移動させられたオブジェクトのリリース位置を検出する（ＡＣＴ　２０４）。リリース位置が表示されるオブジェクトの一つに対応する領域でない場合（ＡＣＴ２０５でＹｅｓ）、プロセッサ８０１は、表示されるオブジェクトの移動表示を解除して、元の位置の状態（例えば、図６に示される状態）を表示する（ＡＣＴ　２０９）。）
「[0092] On the other hand, when the region (for example, the region A1) at which the releasing position of the object to be moved corresponds to one of the objects to be displayed is designated as the movement destination (No in ACT 205), the processor 801 additionally allocates and displays the page image (for example, the page image P2) corresponding to this object (for example, the object O1 to be displayed) to be moved to the object (for example, the region A1) to be displayed 当審注：図９を参照すれば、「(for example, the object O1 to be displayed) to be moved to the object (for example, the region A1)」は、「(for example, the object O2 to be displayed) to be moved to the page image (for example, the page image P1) corresponding to the object (for example, the object O1) 」の誤記と認められる to be displayed, which correspond to the region (for example, the region A1) selected as the movement destination by the releasing (ACT 206 and ACT 207) (for example, see FIG.9). FIG.10 is a diagram illustrating an example of a data table stored in the HDD 804 in the state shown in FIG.9.」
（［００９２］一方、
移動されるオブジェクトのリリース位置が、表示されるオブジェクトのうちの１つに対応する領域
Ａ１
移動先として指定した場合
移動されるこのオブジェクト
Ｏ２
に対応するページ画像
Ｐ２
を、リリースによって移動先として選択されたオブジェクト
Ｏ１
に対応するページ画像
Ｐ１
に、追加的に割り当てて表示する
「[0093] In the example shown in FIG.9, the allocation number of page images per page determined by operating the displayed objects is applied to all the pages, but the invention is not limited thereto. For example, in the example shown in FIG.8, only the page images P1 and P2 are displayed as a 2 in 1 image and the other page images remain as 1 in 1 images.」
（［００９３］図９に示す例では、
表示されるオブジェクトに対する操作により
ページ画像Ｐ１及びＰ２のみが、２ｉｎ１画像として表示され、他のページ画像は１ｉｎ１画像のままである
「[0105] When such allocation is set and then the processor detects pressing of the printing execution button 805b of the user, the printing is performed in the allocation setting.」
（［０１０５］
このような割り当てが設定され
ユーザの印刷実行ボタン８０５ｂの押圧を検出すると、その割り当設定で印刷が行われる
「[0110] Next, other exemplary embodiments will be described.」
（［０１１０］次に
他の実施形態
「[0111] In the above-described exemplary embodiment, a setting method of allocating a plurality of page images on one surface of a single page was described. In an exemplary embodiment, a setting method of allocating page images to the front surface and the rear surface of a single page will be described.」
（［０１１１］上述した例示的な実施形態では、単一のページの一方の面に複数のページの画像を割り当てる設定方法について説明した。例示的な実施形態では、
単一のページの表面と裏面にページ画像を割り当てる設定方法
「[0112] First, double-side allocation setting based on two display state of 1 in 1 images will be described.」
（［０１１２］まず、２つの１ｉｎ１画像の表示状態に基づく、
両面割り当て設定
「[0113] For example, when the user operates the touch panel display 805 to simultaneously select two objects O2 and O3 to be displayed and to move and draw both of the objects to be mutually moved so that the movement destination of one of the two objects to be displayed becomes the other object to be moved, as shown in FIG.17, the processor 801 displays a double-side allocation image being in a state where one object to be moved can be allocated to the front surface of a single sheet and the other object to be moved can be allocated to the rear surface of the single sheet (FIG.18).」
（［０１１３］例えば、
ユーザは、タッチパネルディスプレイ８０５を操作して、表示される２個のオブジェクトＯ２及びＯ３を同時に選択し
表示される２個のオブジェクトの一方の移動先が、移動される他方のオブジェクトになるように、オブジェクトの両方を相互に移動させて引き込む
「[0114] In this way, the processor 801 displays the double-side allocation image being in the state where the objects to be displayed, which correspond to the page images on both surfaces of a single sheet.」
（［０１１４］このようにして、プロセッサ８０１は、表示される２つのオブジェクトが、単一用紙の両面のページ画像に対応する状態で、両面割り当て画像を表示する。）
「[0124] While certain embodiments have been described, these embodiments have been presented by way of example only, and are not intended to limit the scope of invention. Indeed, the novel apparatus and methods described herein may be embodied in a variety of other forms; furthermore, various omissions, 
substitutions
in the form of the apparatus and methods described herein may be made without departing from the spirit of the inventions
（［０１２４］特定の実施形態を説明してきたが、これらの実施形態は、例として提示したものにすぎず、発明の範囲を限定することを意図するものではない。実際、ここにおいて述べた新規な装置及び方法は、その他の様々な形態で実施されることが可能で、さらには、
ここに記載された装置や方法の形態における種々の
置換
は、発明の精神から逸脱することなく行うことができる
　以上の記載事項から、引用文献１には、以下の発明（以下「引用発明」という。）が記載されていると認められる。
「タッチパネルディスプレイ８０５におけるユーザの入力操作に基づいて、取得した画像データに基づく印刷の印刷設定を受け付け、
　印刷部Ｐが前記印刷設定に基づいて、１つのページに複数のページの画像を割り当てて、前記画像データを印刷することを可能にする画像処理装置Ｑであって、
　前記印刷設定を受け付けるときに、印刷される５ページ分の画像に対応してサムネイル画像として５個のオブジェクトＯ１〜Ｏ５を前記タッチパネルディスプレイ８０５の画面上に印刷設定画面として表示し、
　ユーザの指の押圧位置が表示されているオブジェクトＯ２に対応する領域Ａ２である場合、連続的なリリース位置検出を開始し、
　ユーザの指がリリースするまで、押圧位置の移動に伴って表示されるオブジェクトＯ２を移動表示し、
　移動されるオブジェクトＯ２のリリース位置が、表示されるオブジェクトＯ１に対応する領域Ａ１を移動先として指定した場合、移動されるこのオブジェクトＯ２に対応するページ画像Ｐ２を、リリースによって移動先として選択されたオブジェクトＯ１に対応するページ画像Ｐ１に、追加的に割り当てて表示し、
　表示されるオブジェクトに対する操作により、割り当てがなされたページ画像Ｐ１及びＰ２のみを、２ｉｎ１画像として表示し、他のページ画像は１ｉｎ１画像のままで表示し、
　このような割り当てが設定され、次に、ユーザの印刷実行ボタン８０５ｂの押圧を検出すると、その割り当て設定で印刷を行う
　画像処理装置Ｑ。」
（２）引用文献２について
　引用文献２には、図面と共に次の事項が記載されている（下線は当審で付した。また、括弧内の訳文は当審が作成した。）。
「[0098] If the “N-UP” printing option icon 1100 is selected, the controller 130 outputs a preview screen 2000 containing a preview image 2100 depending on the N-UP printing option on the touchscreen 100 (208). The preview image 2100 includes a physical page 2110 that represents a sheet of paper and a logical page 2120 provided in the physical page 2110. As will be described hereinafter, if a set value of the N-UP printing option is changed, the number of the logical pages 2120 is changed. Here, the number of the logical pages 2120 refers to the number of pages to be printed on a single side of paper.」
（［００９８］「Ｎ−ＵＰ」印刷オプションアイコン１１００が選択された場合、制御部１３０は、タッチパネル１００上にＮ−ＵＰ印刷オプションに応じてプレビュー画像２１００を含むプレビュー画面２０００を出力する（２０８）。
プレビュー画像２１００は、１枚の用紙を表す物理ページ２１１０と、物理ページ２１１０に提供される論理ページ２１２０を含む
論理ページ２１２０の数は、用紙の片面に印刷されるページ数を意味する
「[0105] As illustrated in FIG. 6A, assuming that points where the user touches the preview image 2100 displayed on the preview screen 2000 with two fingers are referred to as P1 and P2 and a distance between the touch points is referred to as L1, if the user reduces a distance between the user's fingers to reduce the distance between the touch points from L1 to L2 as illustrated in FIG. 6B, the preview image 2100 having a single logical page 2120 illustrated in FIG. 6A is changed to the preview image 2100 having two logical pages 2120 depending on a distance difference.」
（［０１０５］図６Ａに示すように、
ユーザが２本の指でプレビュー画面２０００に表示されているプレビュー画像２１００に接触する点を
接触点間の距離をＬ１とする
ユーザが、ユーザの指の間の距離を減少させて
接触点間の距離を減少させると
単一の論理ページ２１２０を有するプレビュー画像２１００は、距離差に応じて２つの論理ページ２１２０を有するプレビュー画像２１００に変更される
　以上の記載事項から、引用文献２には、以下の技術事項が記載されていると認められる。
「１枚の用紙を表す物理ページ２１１０と、物理ページ２１１０に提供される用紙の片面に印刷されるページ数を意味する論理ページ２１２０を含むプレビュー画像２１００に対して、ユーザが２本の指でプレビュー画像２１００に接触する接触点間の距離をＬ１からＬ２に減少させると、単一の論理ページ２１２０を有するプレビュー画像２１００が、距離差に応じて２つの論理ページ２１２０を有するプレビュー画像２１００に変更されること。」
５　対比
　本願発明と引用発明とを対比する。
（ａ）引用発明において、「前記印刷設定を受け付けるときに、印刷される５ページ分の画像に対応してサムネイル画像として５個のオブジェクトＯ１〜Ｏ５を前記タッチパネルディスプレイ８０５の画面上に印刷設定画面として表示」することは、「画像データに基づく印刷」の前に行われること、及び「取得した画像データに基づ」いて行われることは明らかである。
　したがって、引用発明の「取得した画像データに基づく印刷の」「印刷設定を受け付けるときに、印刷される５ページ分の画像に対応して５個のオブジェクトＯ１〜Ｏ５のサムネイル画像を前記タッチパネルディスプレイ８０５の画面上に印刷設定画面として表示」する「画像処理装置Ｑ」は、本願発明の「画像データに基づいて画像を印刷する印刷処理が行われる前に、前記画像データに基づいて前記画像を表示装置にプレビュー表示させる画像形成装置」に相当する。
（ｂ）「ユーザの指の押圧位置」に「対応する領域Ａ２」に「表示されているオブジェクトＯ２」及び「リリース位置」に「対応する領域Ａ１」に「表示されるオブジェクトＯ１」は、本願発明の「編集を所望する画像」及び「編集対象画像」に相当する。
　また、引用発明の「表示されているオブジェクトＯ２に対応する領域Ａ２」に対する「ユーザの指の押圧」、「ユーザの指がリリースするまで」「表示されるオブジェクトＯ２を移動表示」させる「ユーザの指の」「押圧位置の移動」及び「表示されるオブジェクトＯ１に対応する領域Ａ１」での「ユーザの指」の「リリース」は、本願発明の「編集を所望する画像に対してタッチ操作によるジェスチャ動作を行うことにより編集対象画像を指定」することに相当する
　さらに、引用発明の「移動されるこのオブジェクトＯ２に対応するページ画像Ｐ２を、リリースによって移動先として選択されたオブジェクトＯ１に対応するページ画像Ｐ１に、追加的に割り当てて表示」することは、編集を実行することといえるから、本願発明の「前記編集対象画像に対する編集を実行する」ことに相当する。
　したがって、引用発明は、本願発明の「編集を所望する画像に対してタッチ操作によるジェスチャ動作を行うことにより、編集対象画像を指定し、前記編集対象画像に対する編集を実行する機能」に相当する構成を備えるといえる。
（ｃ）引用発明の「印刷される５ページ分の画像に対応してサムネイル画像として５個のオブジェクトＯ１〜Ｏ５を前記タッチパネルディスプレイ８０５の画面上に印刷設定画面として表示し」、「ユーザの指の押圧位置が、表示されているオブジェクトＯ２に対応する領域Ａ２」とされ、「移動されるオブジェクトＯ２のリリース位置として、表示されるオブジェクトＯ１に対応する領域Ａ１が移動先として指定され」ることは、これにより「割り当てがなされ」るのであるから、本願発明の「前記表示装置に複数ページが表示された状態で、前記複数ページの画像のうちのページ集約を行なう複数の画像に対して」「入力操作よりページ集約を行う画像を指定する」ことに相当する。
　したがって、本願発明と引用発明とは、「前記表示装置に複数ページが表示された状態で、前記複数ページの画像のうちのページ集約を行なう複数の画像に対して、利用者の入力操作よりページ集約を行う画像を指定するページ集約指定機能」に相当する構成を備える点で共通するといえる。
（ｄ）引用発明の「割り当てがなされたページ画像Ｐ１及びＰ２のみを、２ｉｎ１画像として表示」することは、本願発明の「前記ページ集約指定機能によりページ集約が行われた画像を」「表示する」ことに相当する。
　したがって、本願発明と引用発明とは、「前記ページ集約指定機能によりページ集約が行われた画像を表示する表示機能」を備える点で共通するといえる。
　してみると、本願発明と引用発明とは、
「画像データに基づいて画像を印刷する印刷処理が行われる前に、前記画像データに基づいて前記画像を表示装置にプレビュー表示させる画像形成装置において、
　編集を所望する画像に対してタッチ操作によるジェスチャ動作を行うことにより、編集対象画像を指定し、前記編集対象画像に対する編集を実行する機能であって、
　前記表示装置に複数ページが表示された状態で、前記複数ページの画像のうちのページ集約を行なう複数の画像に対して、利用者の入力操作よりページ集約を行う画像を指定するページ集約指定機能と、
　前記ページ集約指定機能によりページ集約が行われた画像を表示する表示機能と、
　を備える画像形成装置。」
である点で一致し、次の点で相違する。
　　　
（相違点１）
　「ページ集約指定機能」が「前記表示装置に複数ページが表示された状態で、前記複数ページの画像のうちのページ集約を行なう複数の画像に対して、利用者の入力操作よりページ集約を行う画像を指定する」ことについて、本願発明は「ピンチイン操作による」入力操作により行われるのに対し、引用発明は「前記タッチパネルディスプレイ８０５上のユーザの指の押圧位置が、複数のオブジェクトＯ１〜Ｏ５のうちの一つに対応する領域である場合、連続的なリリース位置検出を開始し、ユーザの指がリリースするまで、押圧位置の移動に伴って表示されるオブジェクトを移動表示し、移動されたオブジェクトのリリース位置が複数のオブジェクトＯ１〜Ｏ５のうちの１つに対応するように、領域が移動先として指定され」ることにより行われる点。
（相違点２）
　「表示機能」が「前記ページ集約指定機能によりページ集約が行われた画像を表示する」ことについて、本願発明は「元の画像の用紙サイズに縮小して」表示する、すなわち、上記２の解釈に基づけば、元の画像の用紙サイズに合せて縮小して表示するに対し、引用発明はそのように特定されていない点。
６　判断
（相違点１について）
　引用文献１の段落［０１１０］ないし［０１１４］には、他の実施形態として、単一のページの表面と裏面にページ画像を割り当てる両面割り当て設定についてではあるが、ユーザが、タッチパネルディスプレイ８０５を操作して、表示される２個のオブジェクトＯ２及びＯ３を同時に選択し、表示される２個のオブジェクトの一方の移動先が、移動される他方のオブジェクトになるように、オブジェクトの両方を相互に移動させて引き込むこと、すなわち、ピンチイン操作が開示されている。
　そして、引用発明の「表示されているオブジェクトＯ２に対応する領域Ａ２」に対する「ユーザの指の押圧」、「ユーザの指がリリースするまで」「表示されるオブジェクトＯ２を移動表示」させる「ユーザの指の」「押圧位置の移動」及び「表示されるオブジェクトＯ１に対応する領域Ａ１」での「ユーザの指」の「リリース」と、引用文献１の他の実施形態として記載される、ユーザが、タッチパネルディスプレイ８０５を操作して、表示される２個のオブジェクトＯ２及びＯ３を同時に選択し、表示される２個のオブジェクトの一方の移動先が、移動される他方のオブジェクトになるように、オブジェクトの両方を相互に移動させて引き込むというピンチイン操作は、２つのオブジェクトが指定される点と両者を接近させる点で共通するし、引用文献１の段落［０１２４］における、実施形態における種々の置換可能性の記載を参酌すれば、引用発明の入力操作に代えて、引用文献１の他の実施形態として記載されたピンチイン操作を適用して、相違点１に係る本願発明の構成とすることは当業者が容易になし得たものである。
　また、引用文献２には、ページ集約の対象となるオブジェクトに対応する画像を指定できるピンチイン操作ではないが、ユーザが２本の指でプレビュー画像２１００に接触する接触点間の距離をＬ１からＬ２に減少させると、用紙の片面に印刷されるページ数が１から２へ変更される、すなわち、ピンチイン操作によりページ集約を行えることが記載されており、これとともに、引用文献１の上記他の実施形態に接した当業者であれば、引用発明の入力操作に代えて、引用文献１の他の実施形態として記載されたピンチイン操作を適用して、相違点１に係る本願発明の構成とすることは当業者が容易になし得たものである。
（相違点２について）
　印刷設定のプレビュー表示において、ページ集約が行われた画像を、元の画像の用紙サイズに合せて縮小して表示することは、例えば、引用文献３（図２１から、２ページの画像を縮小して形成する２ｉｎ１のプレビュー領域の線画Ｐｐ４〜Ｐｐ６及び４ページの画像を縮小して形成する４ｉｎ１のプレビュー領域の線画Ｐｐ７〜Ｐｐ９を、１枚の用紙に１ページの画像を形成する１ｉｎ１のプレビュー領域の線画Ｐｐ１〜Ｐｐ３の用紙サイズに合せて縮小して表示していることが見て取れる。）及び引用文献４（図５（ｂ）から、レイアウトプレビュー画面において、用紙に２頁ずつ配置される（２）〜（９）の文書データの頁の画像を、用紙に１頁ずつ配置される（１）及び（１０）の文書データの頁の画像に合せて縮小して表示していることが見て取れる。）に記載されているように周知技術である。
　そして、表示されるオブジェクトに対する操作により割り当てられたページ画像Ｐ１及びＰ２のみを２ｉｎ１画像として表示する引用発明に、上記周知技術を適用して、ページ集約が行われた２ｉｎ１画像を、元の画像の用紙サイズに合せて縮小して表示することに格別の困難性はなく、そのようにして、相違点２に係る本願発明の構成とすることは当業者が容易になし得たものである。
（効果について）
　本願発明の奏する作用効果は、引用文献１、引用文献２及び周知技術から予測される範囲内のものにすぎず、格別顕著なものということはできない。
（請求人の主張について）
　請求人は、審判請求書において、
ア　本願発明の「前記表示装置に複数ページが表示された状態で、前記複数ページの画像のうちのページ集約を行なう複数の画像に対して、利用者のピンチイン操作による入力操作よりページ集約を行う画像を指定するページ集約指定機能」については、何れの引用文献にも開示されていない、
イ　引用文献２で開示されている内容は、単にピンチ操作による距離に応じて画像の大きさを変更し、それに応じて集約する画像を変更するといった点に過ぎない、
ウ　引用文献１においては、方法１の２ｉｎ１の設定をする方法と、方法２の両面印刷を設定する方法で明らかに操作方法が異なる、
エ　引用文献１を主引例として当業者が引用文献２を参照した場合、引用文献１に開示されている方法１の２ｉｎ１の設定に、引用文献２の発明を組み合わせると考えるのが妥当であり、そうすると、引用文献１のプレビュー表示において、ピンチイン／ピンチアウト操作がなされることにより、指の移動量に応じて全体的な集約するページ数が変わるに過ぎず、本願発明のように、複数のページの中から、任意のページを指定して集約操作を行うといったことは開示されていない、
オ　引用文献２の集約操作に、引用文献１の方法２の両面印刷の設定方法を組み合わせるといったことは、同じ画像形成装置に関する分野であったとしても、そもそも技術の目的・効果が異なるため、当該組み合わせは当業者が通常想定しない組み合わせとなる、
カ　そもそも、引用文献２はピンチイン操作における指の距離に応じた処理を行う発明で、引用文献１の方法２におけるページ指定と、引用文献１のＮｉｎ１の動作を組み合わせるといった点について、動機付けとなる記載もない、
キ　引用文献１において、方法１と、方法２とで操作体系が異なることに鑑みても、Ｎｉｎ１の動作において、ページを指定するといった技術について組み合わせに動機付けがないことは明らかである、
ク　引用文献２において開示されているジェスチャ動作は、指の移動距離に応じた処理を実行する内容であり、本願発明は、指の移動距離に応じて集約動作を行っているものではないから、「どのジェスチャをどの設定に関連付けるかは、当業者が適宜設計し得る事項」との指摘は、引用文献２に開示されている発明の指の移動距離に応じた処理を実行する点を無視し、単に指の動きの部分であるピンチイン／ピンチアウトにだけ注目しているものであり、承服できるものではない、
旨主張する。
　しかしながら、上記エの請求人の主張について、引用発明は「割り当てがなされたページ画像Ｐ１及びＰ２のみを、２ｉｎ１画像として表示し、他のページ画像を１ｉｎ１画像のままで表示」するものであり、本願発明のように、複数のページの中から、任意のページを指定して集約操作を行うものといえるから、請求人の主張は採用できない。
　また、上記ア〜ウ、オ〜クの請求人の主張について、上記（相違点１について）で述べたように、引用発明の入力操作に代えて、引用文献１の他の実施形態として記載されたピンチイン操作を適用して、相違点１に係る本願発明の構成とすることは当業者が容易になし得たものである。
　したがって、請求人の主張は採用できない。
（まとめ）
　したがって、本願発明は、引用発明、引用文献１の記載事項及び周知技術に基づいて、または、引用発明、引用文献１の記載事項、引用文献２の記載事項及び周知技術に基づいて、当業者が容易に発明をすることができたものであり、特許法第２９条第２項の規定により特許を受けることができない。
７　むすび
　以上のとおり、本願発明は、特許法第２９条第２項の規定により特許を受けることができない。
　したがって、その余の請求項については検討するまでもなく、本願は、拒絶されるべきものである。
　よって、結論のとおり審決する。